(57)【要約】【課題】ブランクパネルの空洞部分における風の流れを防止して空冷効果を改善するとともに、ブランクパネルの構成部品の一体化を図り、簡単な構造にする。【解決手段】部品を搭載した搭載基板２００と、搭載基板の挿入を案内するレール部材を有する複数のスロット機構３００と、空きスロット機構に挿入されるブランクパネル１００とを備えた電子機器において、ブランクパネル１００は、搭載基板２００とほぼ同じ大きさの平面を有し該平面の前記挿入の方向に平行な２辺の一部がレール部材の案内を受けて挿入可能にされた板状部材１と、長手方向の一辺に前記板状部材１が固着され、一スロット機構分の開口部３０１を覆うスロットパネル２と、板状部材１にスペースを仕切るように立てられた前記距離以下の高さで前記挿入方向に所定長さを有する仕切部材４とを、一体形成した。【選択図】図１
2007220725.tif 000002
【特許請求の範囲】
【請求項１】
一面に電気部品を搭載した基板（２００）と、開口部（３０１，３０１ａ）を有し前記一面側に前記電気部品を収容するスペースを確保できる位置に該基板の挿入を案内するレール部材（９，９ａ）を有する複数のスロット機構（３００，３００ａ）と、前記基板を収容しないスロット機構に挿入されるブランクパネル（１００，１００ａ）を備えた電子機器において、
前記ブランクパネルは、
前記基板とほぼ同じ大きさの平面を有し該平面の前記挿入の方向に平行な２辺の少なくとも一部が前記レール部材の案内を受けて挿入可能にされた板状部材（１，１ａ）と、長手方向の一辺側に前記板状部材が固着され、前記開口部を覆うためのスロットパネル（２，２ａ）と、前記板状部材の前記平面の前記スペース側の面に該スペースを仕切るように立てられ、前記挿入方向に所定長さを有する仕切部材（４，４ａ）とを、一体形成して備えたことを特徴とする電子機器。
【請求項２】
前記スロットパネル及び前記仕切部材は、少なくとも一枚の平板状の金属性部材を前記板状部材の部分及び前記レール部材の案内を受ける前記一部を残して、折り曲げることによって一体形成可能な構造であることを特徴とする請求項１に記載の電子機器。
【請求項３】
前記スロット機構に搭載された前記ブランクパネルの前記仕切部材の面に略直交する側から放熱のための風を通す通風手段（３０４，３０４ａ、３０４ｂ）を備え、前記スロット機構の全てに前記電気部品を搭載した基板及び前記ブランクパネルが挿入されて使用されることを特徴とする請求項１又は２に記載の電子機器。
【請求項４】
前記電気部品を搭載した基板に前記スロットパネルと同じ大きさの基板用パネル（５）が設けられ、前記基板用パネル及びスロットパネルの互いの電気的導通を図るため、前記スロットパネルの前記基板用パネルに対向する一辺に導電性バネ（１０２）を設けたことを特徴とする請求項１、２又は３に記載の電子機器。
【請求項５】
前記スロットパネル、前記板状部材もしくは前記仕切部材又はそれらの組み合わせは、前記黒色に塗装加工されもしくは梨地加工され又はそれらの組み合わせ加工がされていることを特徴とする請求項１〜４のいずれか一つに記載の電子機器。
【請求項６】
前記ブランクパネルは放熱フィンを備えたことを特徴とする請求項１〜５のいずれか一つに記載の電子機器。
【発明の詳細な説明】
【技術分野】
【０００１】
本発明は、電気部品を搭載した一枚又は複数枚の基板を挿入可能なスロット機構に追加、抜き取り又は差し替えが可能にされた電子機器に係り、特にそのスロット機構に基板を挿入していない空きのスロット機構にブランクパネルを挿入する場合に、内部の放熱（又は空冷）の風が空きスロット機構に集中することを防止して放熱効果を維持できる技術に関する。
【背景技術】
【０００２】
一般に、多機能な電子機器においては、電源等の各機能に共通な構成を常時、筐体に搭載し、一部の機能をユーザの要求により、或いはユーザ自身により、外す、抜き取り、或いは差し換えが可能な機構にされている。つまり、図９に示すように、電子機器５００において、これらの変更可能な機能を実行する構成（電気部品、回路等）を機能毎に搭載基板２００（電気部品等が実装されている基板で、以下、「搭載基板」と言う。）に搭載し、その搭載基板２００を筐体５０１の側面に設けられたスロット機構（不図示）に挿入、離脱が可能にされている（特許文献１，２）。一般には、実装の効率からして、変更可能な機能の数分だけ複数の基板が同列に（又は積み重ねられて）配列して実装可能なスロット機構にされている。
【０００３】
一方で、電子機器全体は、小さいことが求められており、その内部は、高密度実装されている。そのため内部は電気部品等の発熱により高温になるため、ファン等により冷却する必要があった。
【０００４】
しかしながら、上記のように複数のスロット機構に配列された複数の搭載基板の内、例えば、一枚或いは二枚が、抜かれて離脱された場合、ファンによる空冷の風の流れが、その離脱されて空になったスロット機構の空洞部に集中しがちになり、電気部品等が実装されている搭載基板側における風の流れが少なくなり空冷効果が妨げられてしまう。
【０００５】
そこで、特許文献１に記載の技術では、電気部品等の代わりに箱形の立方体を基板に搭載したブランクパネル（立方体を基板に搭載した状態では、立方体内部は、ほぼ密閉状態にされている。）を、空になったスロット機構に挿入して、その空洞部を埋めることによって、空冷による風の流れが空洞部を通らないようにして、電気部品を搭載した基板側の空冷効果を改善している。
【０００６】
特許文献２の技術は、図８（Ａ）に示すように電気部品等の代わりに一面が空洞部４０３を有する箱形の形状であって、かつ両端がスロット機構に挿入、離脱するときのガイドとなるレール部材に嵌合可能なレール嵌合部４０４を備えた基板補充部４０１と、基板補充部４０１が取り付けられたスロットパネル４０２を備え、これをブランクパネル４００として、未実装のスロット機構に挿入することで、未実装部分の空洞部への風の流れを防止し、搭載基板２００の空冷効果を上げようとするものである。
【特許文献１】特開２００２−１１１２５５号公報
【特許文献２】特開２００５−５０９４６号公報
【発明の開示】
【発明が解決しようとする課題】
【０００７】
ところで、上記のように電子機器としての機能を有しない、空冷効果を目的としたブランクパネルは、ユーザにとって本質的に必要とするものではない。したがって、ブランクパネルとしては、費用の係らない、つまり部品点数の少ない、及び工程数の少ない、簡単な構造が望ましい。
【０００８】
このような観点からすると、上記特許文献１の構造より、特許文献２の構造の方が簡単な構成である。特許文献２の構造は、その記載から搭載基板２００及びブランクパネル４００を上下に立てて使用する形と見受けられるが、これを例えば、寝かせた形で積み重ねて表現してみると図８（Ｂ）のように表せる。図８（Ａ）はブランクパネル４００の単体構造であり、図８（Ｂ）は、それを電気部品７を搭載した搭載基板２００ととともに、スロット機構（不図示）に挿入した状態を説明するための図である。図８（Ｂ）のように電気部品等を搭載した搭載基板２００のレール嵌合部６（スロット機構側に設けられ、搭載基板２００及びブランクパネル４００の挿入をガイドするレールがあって、挿入時にそのレールに嵌合する部分）レール嵌合部６とブランクパネル４００のレール嵌合部４０４とを同じ間隔で配置すると、空冷用の風の流れがブランクパネル４００の基板補充部４０１内の空洞部４０３を通して流れ、搭載基板２００の電気部品側を避けて流れる恐れがある。
【０００９】
本発明は、上記問題点を解決するものであって、ブランクパネルの空洞部における風の流れを防止して空冷効果を改善するとともに、ブランクパネルの構成部品の一体化を図り、簡単な構造にすることを目的とする。
【課題を解決するための手段】
【００１０】
上記課題を解決するため、請求項１に記載の発明は、一面に電気部品を搭載した基板と、開口部を有し前記一面側に前記電気部品を収容するスペースを確保できる位置に該基板の挿入を案内するレール部材を有する複数のスロット機構と、前記基板を収容しないスロット機構に挿入されるブランクパネルを備えた電子機器において、
前記ブランクパネルは、
前記基板とほぼ同じ大きさの平面を有し該平面の前記挿入の方向に平行な２辺の少なくとも一部が前記レール部材の案内を受けて挿入可能にされた板状部材と、長手方向の一辺に前記板状部材が固着され、前記開口部を覆うためのスロットパネルと、前記板状部材の前記平面の前記スペース側の面に該スペースを仕切るように立てられ、前記挿入方向に所定長さを有する仕切部材とを、一体形成して備えた。
【００１１】
上記課題を解決するため、請求項２に記載の発明は、請求項１に記載の発明において、
前記スロットパネル及び前記仕切部材は、少なくとも一枚の平板状の金属性部材を前記板状部材の部分及び前記レール部材の案内を受ける前記一部を残して、折り曲げることによって一体形成可能な構造である
【００１２】
請求項３の発明は、請求項１又は２に記載の発明において、前記スロット機構に搭載された前記ブランクパネルの前記仕切部材の面に略直交する側から放熱のための風を通す通風手段を備え、前記スロット機構の全てに前記電気部品を搭載した基板及び前記ブランクパネルが挿入されて使用される構造である。
【００１３】
請求項４に記載の発明は、請求項１、２又は３に記載の発明において、前記電気部品を搭載した基板に前記スロットパネルと同じ大きさの基板用パネルが設けられ、前記基板用パネル及びスロットパネルの互いの電気的導通を図るため、前記スロットパネルの前記基板用パネルに対向する一辺に導電性バネを設けた構造である。
【００１４】
請求項５に記載の発明は、請求項１〜４のいずれか一つに記載の発明において、前記スロットパネル、前記板状部材もしくは前記仕切部材又はそれらの組み合わせは、前記黒色に塗装加工されもしくは梨地加工され又はそれらの組み合わせ加工がされている。
【００１５】
請求項６に記載の発明は、請求項１〜５のいずれか一つに記載の発明において、前記ブランクパネルは放熱フィンを備えた。
【発明の効果】
【００１６】
請求項１又は２に記載の発明によれば、ブランクパネルの仕切部材によりブランクパネルの空洞部分における風の流れを防止して空冷効果を得ることができる。さらに正面パネル、前記仕切部材、板状部材の部分及び前記レール部材の案内を受ける前記板状部材の一部を、折り曲げ等の単純な工程で製造可能で、かつ簡単な構造を有する。
【００１７】
また、請求項４に記載の発明によれば、ブランクパネルのスロットパネル部分及び基板の基板用パネルが、直接的にユーザから見える外観を構成するが、そのとき導電性バネにより、実装基板等からの電磁波の外部への漏洩を減ずる効果を有する。
【００１８】
また、請求項５又は６に記載の発明によれば、空冷効果を上げることができる。
【発明を実施するための最良の形態】
【００１９】
本発明の電子機器に係る実施形態を図をもって説明する。図１は、第１の実施形態としてのブランクパネルを示す図である。図２は、電気部品等を搭載したプリント基板（以下、「搭載基板」と言う。）の例を示す図である。図３は、ブランクパネルと搭載基板を実装した形態を説明するための図である。図４は、第１のブランクパネルと搭載基板を実装するためのスロット機構の構造を説明するための図で、図４（Ａ）が正面図、図４（Ｂ）が側面図である。図５は、図１のブランクパネルの製造方法を説明するための図である。図６は、第２の実施形態のブランクパネルの正面図、図７は、図６のブランクパネルをスロット機構３００ａに収容したときの斜視図である。
【００２０】
本実施形態の説明は、電子機器の筐体のうち、主にブランクパネル及びそれを搭載するスロット機構について説明するが、そのブランクパネル及びスロット機構は、図９のような電子機器５００に用いて利用される（図９のブランクパネル４００の代わりに、以下に説明するブランクパネル１００又は１００ａが用いられる）。
【００２１】
図１〜図４を基に構造を説明する。図１のブランクパネル１００は、導電性を有する（金属製）板状部材１、スロットパネル２及び仕切部材４で構成される。なお、図８と同一符号のものは、同一機能を有する。
【００２２】
板状部材１は、端部にレール嵌合部３を有するが、そのレール嵌合部３を含む全体の広さは、図２の搭載基板２００のプリント基板８と同じ大きさにされている。レール嵌合部３は板状部材１の端部を兼ねているが、これは、図２のプリント基板８の端部がレール嵌合部６を兼ねているのと同様である。板状部材１及びプリント基板８は、それぞれレール嵌合部３，６を、図４（Ａ）のスロット機構３００の正面の開口部３０１からレール部材９に嵌合して挿入されることにより、図４（Ｂ）のスロット空洞部３０３に収容される。スロット空洞部３０３は、電気部品７を収納する高さのスペースを有する。したがって、プリント基板８或いは板状部材１の上面に電気部品７のスペースがとれるように、レール部材９はスロット空洞部３０３の下側に位置し、プリント基板８又は板状部材１のそれぞれは、基板用パネル５又はスロットパネル２の長さ方向の辺の下側の辺に固着される。
【００２３】
ブランクパネル１００の正面としてのスロットパネル２は、搭載基板２００の基板用パネル５の大きさと同じ大きさにされている。基板用パネル５の高さは、プリント基板８に搭載された電気部品７の高さより高い（図４の開口部３０１に挿入されるため）。スロットパネル２はブランクパネル１００の板状部材１と一体として固着され（製造方法については後記）、搭載基板２００の基板用パネル５はプリント基板８に固着されている。そして、スロットパネル２及び基板用パネル５のそれぞれは、板状部材１及びプリント基板８が図４（Ａ）の開口部３０１から挿入されたとき、その開口部３０１を塞いで（覆って）、開口部３０１周辺の収容棚フレーム３０２に取り付けられる。つまりスロットパネル２及び基板用パネル５の広さは、開口部３０１の広さより幾分広くされ、スロットパネル２及び基板用パネル５の周囲が収容棚フレーム３０２の開口部３０１周辺に係合する。
【００２４】
図１の仕切部材４は、スロットパネル２の長さ方向に直交する方向に、かつ板状部材１にほぼ垂直に立てられている（後記するように防風効果があればよいので、必ずしも垂直である必要はない。）。長さは、ほぼ板状部材１の長さと同じか幾らか短めにされている。高さは、ほぼスロットパネル２の高さと同じか幾らか少なめにされている。この仕切部材４の大きさ（高さ及び長さ）は、ブランクパネル１００として図４（Ａ）の開口部３０１に挿入され、収容される動作の妨げにならない範囲である必要があるが、スロット機構３００に収容されたとき、図３に示すように横からの風に対して防風効果が発揮されるように、開口部３０１の高さ、板状部材１の長さを限度としてできるだけ大きい方（高さが高く、長さが長い）が好ましい。
【００２５】
図３は、図４のスロット機構３００に上から順に、図２の搭載基板２００、図１のブランクパネル１００、及び図２の搭載基板２００を重ねるように挿入し、収容させた場合における図であって、説明のためそのスロット機構３００を除外して、斜め後ろから見た図である。ファン３０４（「ファン」は、空気の流れ（風）を作り、通す通風手段に相当する。）は、スロット機構３００に搭載されたブランクパネル１００及び搭載基板２００の横から風を吹き付け、電気部品７等で発生する熱を空冷（放熱）する。図３に示すように仕切部材４は、隣り合う上段の搭載基板２００のプリント基板８とで、内部の空洞部１１を外部から遮断するよう働くため、ファン３０４からの風は空洞部１１を通ることを妨げられ、上段及び下段の搭載基板２００の各電気部品の間を通り抜けていく。したがって、ファン３０４による空冷効果は、電気部品７側で発揮される。なお、間隙１０の部分を風が通過する可能性があるが、大きくなければ量的に問題はない。
【００２６】
図４は、スロット機構３００の構造例であり、ブランクパネル１００及び搭載基板２００を収容する収容棚フレーム３０２に、それらレール嵌合部３，６の挿入をガイドするレール部材９が備えられている。
【００２７】
図５により、ブランクパネル１００の製造方法を説明する。板状部材１を含む前記大きな点線で囲まれる導電性（例えば、アルミ板）の平板を準備する。次に図５の小さい点線部分を切り込む。そして、板状部材１を取り囲む三方（大きい点線部分）を図５の矢印方向に（板状部材１に対して垂直に）折り曲げる。このような製造方法により簡単に一体として製造ができる。
【００２８】
「第２の実施形態」
図６及び図７を基に、第２の実施形態について説明する。この実施形態では、図４のような収容棚フレーム３０２がなく、基台部（不図示）に、対向する対のレール部材９ａを複数段（図７では四段）積み上げて構成されたものである。レール部材９ａに溝状に形成されたレール部９ｂにはブランクパネル１００ａのレール嵌合部３ａが嵌合して挿入可能にされている。仕切部材４ａの切り欠きである間隙１０ａは、レール部材９ａの壁に遮られ、ファン３０４ａ及びファン３０４ｂによる風が間隙１０ａを抜けて流れないように配慮されている（図７参照）。ブランクパネル１００ａのスロットパネル２ａに２つのつまみ１０１が備えられ、これをつかんで挿入、離脱の操作が行われる。また、スロットパネル２ａの上部は、さらに内側に折り曲げられその折り曲げた上部（例えば、図５のスロットパネル２をさらに板状部材１側へ折り曲げる。）にバネ性を有し、導電性のアース部材１０２（導電性バネ）が取り付けられている。
【００２９】
導電性のアース部材１０２は、隣り合う上段に挿入されるブランクパネル１００ａのスロットパネル２ａ或いは搭載基板２００の基板用パネル５を押圧してそれに接触し、スロット機構３００ａ内の電磁波を外部へ漏洩しないようにシールドするものである。強いては、ブランクパネル１００及び搭載基板２００が図９の構造の電子機器５００に搭載されたとき、それらのスロットパネル２や基板用パネル５が直接に筐体５０１の一部を成す外観構造であるので、筐体５０１内から外部へ電磁波が漏洩するのを防止する効果がある。なお、図９で筐体５０１そのものは、シールド効果を有している。
【００３０】
アース部材１０２は、複数のバネ性の小片からなり、その小片の両端をスロットパネルの上部に設けた切り欠きへ押し込む用に取り付け、そのときの小片のほぼ中央がバネ性を有するようにする。そしてブランクパネル１００ａがスロット機構３００ａに取り付けられたとき、隣り合う上部の搭載基板２００又はブランクパネル１００ａの基板用パネル５又はスロットパネル２ａからその中央部が押圧を受けて電気的接触を図り、シールドする構造である。
【００３１】
このアース部材１０２によるシールドは、図４に示すような収容棚フレーム３０２がないスロット機構３００ａにとっては、特に有効である。また、図７の構成は、レール部材９ａが積み重ね可能な機構を有しているため、収容棚フレーム３０２が無い分、構造が簡単で、スペース的にも有利である。それだけに、より、アース部材１０２によるシールド効果が重要である。なお、図６における点線で示される開口部３０１ａが１スロット機構分の開口であり、図４（Ａ）の開口部３０１に該当する。
【００３２】
図７において、ファン３０４ａはスロット機構３００ａに対して風を吹き付け、ファン３０４ｂは風を吸い出すためのものである。ファン３０４ａ及びファン３０４ｂは同じ風向きとしているが、双方が反対向きであったとしても、有効である。また、電気部品７等の発熱によっては、ファン３０４ａ又はファン３０４ｂのいずれか一方であっても良い。
【００３３】
さらに、スロットパネル２、２ａ、前記板状部材１，１ａもしくは前記仕切部材４，４ａ又はそれらの組み合わせは、前記黒色に塗装されていることが望ましい。遠赤外線効果により放熱効果が高まるため。もしくは梨地加工され又はそれらの組み合わせ加工がされていても良い。梨地加工は、放熱面積を多くするため。黒色塗装も梨地加工も、従来からの一般的な技術であるため、詳細は省略する。
【００３４】
また、前記ブランクパネル１００，１００ａの、例えば、仕切部材４、４ａに放熱フィン等を付加して放熱効果を高める構成としても良い。
【図面の簡単な説明】
【００３５】
【図１】第１の実施形態としてのブランクパネルを示す図である。
【図２】電気部品等を搭載したプリント基板（搭載基板）の例を示す図である。
【図３】ブランクパネルと搭載基板を実装した形態を説明するための図である
【図４】第１のブランクパネルと搭載基板を実装するためのスロット機構の構造を説明するための図で、図４（Ａ）が正面図、図４（Ｂ）が側面図である。
【図５】図１のブランクパネルの製造方法を説明するための図である。
【図６】第２の実施形態のブランクパネルの正面図である。
【図７】図６のブランクパネルをスロット機構に収容したときの斜視図である。
【図８】ブランクパネルの従来技術を説明するための図である。
【図９】電子機器の筐体構造を説明するための図である。
【符号の説明】
【００３６】
１、１ａ  板状部材、  ２  スロットパネル、
３、３ａ  レール嵌合部、４  仕切部材、  5  基板用パネル、  ６  レール嵌合部、
７  電気部品、  ８  プリント基板、  ９、９ａ  レール部材、    ９ｂ  レール部、
１０, １０ａ   間隙、  １１  空洞部
１００、１００ａ  ブランクパネル、１０１  つまみ、
１０２  アース部材（導電性バネ）、２００  搭載基板、  ３００  スロット機構、
３０１、３０１ａ  開口部、３０２  収容棚フレーム、  ３０３  スロット空洞部、
３０４、３０４ａ、３０４ｂ  ファン（通風手段）
４００  ブランクパネル、４０１  基板補充部、  ４０２  スロットパネル、
４０３  空洞部、  ４０４  レール嵌合部、  ５００  電子機器、  ５０１  筐体
【図１】
2007220725.tif 000003
【図２】
2007220725.tif 000004
【図３】
2007220725.tif 000005
【図４】
2007220725.tif 000006
【図５】
2007220725.tif 000007
【図６】
2007220725.tif 000008
【図７】
2007220725.tif 000009
【図８】
2007220725.tif 000010
【図９】
2007220725.tif 000011